(57)【特許請求の範囲】
【請求項１】
取付部を介して被取付面に取り付けられる照明装置であって、
前記取付部を備えるアダプタと、
前記アダプタに着脱可能に装着される器具本体と
を備え、
前記器具本体は、
前記アダプタに装着されるベースと、
前記ベースの表面に搭載された光源ユニットと、
前記ベースの表面全体を覆い且つ前記ベースに固定された透光性カバー
とを備え、
前記アダプタ及び前記器具本体は、前記器具本体が前記アダプタに装着されることにより、電気的に接続する接続部を備え、
前記アダプタは、表裏方向と直交する方向に進退可能な可動体を備え、
前記ベースは、
前記アダプタが嵌合する凹入部と、
前記凹入部の周壁部分に設けられた複数の非係合部分と
を備え、
前記器具本体が前記アダプタに装着されている場合に、前記器具本体を回転させることにより、前記可動体が前記非係合部分に位置すると、前記可動体が退入状態となり、前記器具本体が前記アダプタから取外し可能となる
照明装置。
【請求項２】
前記周壁部分は、前記非係合部分が欠けた欠円形状の横断面形状である
請求項１に記載の照明装置。
【請求項３】
前記非係合部分は、前記凹入部の中心軸を挟んで対向しており、その間隔は、前記可動体が退入した状態における前記可動体の先端間の距離に等しい
請求項１又は２に記載の照明装置。
【請求項４】
前記周壁部分の裏面側には、前記周壁部分よりも中心軸側に張り出した装着部が設けられており、
前記装着部により、前記可動体を受け入れる受入凹部が形成されるとともに、前記可動体と係合する係合部が形成される
請求項１〜３の何れか１項に記載の照明装置。
【請求項５】
前記可動体は、ベース部と、前記ベース部から前記表裏方向と直交する方向に延びる延伸部とを有し、
前記延伸部は、側方から見ると表面が前記ベース部から離れるに従って裏側に移る傾斜面となっている
請求項１〜４の何れか１項に記載の照明装置。
【請求項６】
前記器具本体の前記接続部は導電ピンであり、
前記アダプタは、前記導電ピンを受け入れるピン用の凹入部を備えており、
前記アダプタの前記接続部は、前記ピン用の凹入部内に配されている
請求項１〜５の何れか１項に記載の照明装置。
【請求項７】
前記可動体は付勢体により進出するように付勢されている
請求項１〜６の何れか１項に記載の照明装置。
【発明の詳細な説明】
【技術分野】
【０００１】
本発明は、被取付面の被取付部材に取り付けられる照明装置に関する。
【背景技術】
【０００２】
被取付部材に取り付けられる照明装置として、例えば、「上部側に設けられ引掛シーリングアダプタに取り付けられるアダプタ取付用開口部、およびこのアダプタ取付用開口部の下部側に設けられ電気機器を取り付ける電気機器取付用開口部を有し、前記アダプタ取付用開口部と前記電気機器取付用開口部との開口径が異なる円筒状のアダプタガイドと；前記アダプタガイドを取り付けた器具本体と；前記器具本体に配置された光源と；を具備することを特徴とする照明装置」が提案されている（例えば特許文献１）。
【先行技術文献】
【特許文献】
【０００３】
【特許文献１】特開２０１６−０６６４９６号公報
【発明の概要】
【発明が解決しようとする課題】
【０００４】
しかしながら、特許文献１に記載の照明装置では、被取付部材に取り付けるための取付作業が多い。
本発明は、取付作業の少ない照明装置を提供することを目的とする。
【課題を解決するための手段】
【０００５】
本発明に係る照明装置は、取付部を介して被取付面に取り付けられる照明装置であって、前記取付部を備えるアダプタと、前記アダプタに着脱可能に装着される器具本体とを備え、前記器具本体は、前記アダプタに装着されるベースと、前記ベースの表面に搭載された光源ユニットと、前記ベースの表面全体を覆い且つ前記ベースに固定された透光性カバーとを備え、前記アダプタ及び前記器具本体は、前記器具本体が前記アダプタに装着されることにより、電気的に接続する接続部を備え、前記アダプタは、表裏方向と直交する方向に進退可能な可動体を備え、前記ベースは、前記アダプタが嵌合する凹入部と、前記凹入部の周壁部分に設けられた複数の非係合部分とを備え、前記器具本体が前記アダプタに装着されている場合に、前記器具本体を回転させることにより、前記可動体が前記非係合部分に位置すると、前記可動体が退入状態となり、前記器具本体が前記アダプタから取外し可能となる。
【発明の効果】
【０００６】
上述の構成によれば、アダプタへの器具本体の装着により両者が電気的に接続され、取り付け作業を少なくできる。
【図面の簡単な説明】
【０００７】
【図１】実施形態に係る照明装置であってアダプタに器具本体を装着する前の状態を示す斜視図であり、（ａ）は表側から見た図であり、（ｂ）は裏側から見た図である。
【図２】アダプタにおいて表ケースを外した状態を示す斜視図であり、（ａ）は表側から見た図であり、（ｂ）は裏側から見た図である。
【図３】アダプタの分解状態を表側から見た斜視図である。
【図４】アダプタの分解状態を裏側から見た斜視図である。
【図５】器具本体から電源ユニットと透光性カバーを外した状態を表側から見た斜視図である。
【図６】器具本体から電源ユニットと透光性カバーを外した状態を裏側から見た斜視図である。
【図７】器具本体の断面図である。
【図８】ベース樹脂材、光源ユニット、接続ユニット、取付具、装着ユニットを外した状態を表側から見た斜視図である。
【図９】ベース樹脂材、光源ユニット、接続ユニット、取付具、装着ユニットを外した状態を表側から見た斜視図である。
【図１０】ベース樹脂材を表側から見た斜視図である。
【図１１】ベース樹脂材を裏側から見た斜視図である。
【図１２】接続ユニットの斜視図であり、（ａ）は表側から見た図であり、（ｂ）は裏側から見た図である。
【図１３】接続ユニットの分解状態の斜視図であり、（ａ）は表側から見た図であり、（ｂ）は裏側から見た図である。
【図１４】装着ユニットの分解状態の斜視図であり、（ａ）は表側から見た図であり、（ｂ）は裏側から見た図である。
【発明を実施するための形態】
【０００８】
＜概要＞
実施形態に係る第１の照明装置は、取付部を介して被取付面に取り付けられる照明装置であって、前記取付部を備えるアダプタと、前記アダプタに着脱可能に装着される器具本体とを備え、前記器具本体は、前記アダプタに装着されるベースと、前記ベースの表面に搭載された光源ユニットと、前記ベースの表面全体を覆い且つ前記ベースに固定された透光性カバーとを備え、前記アダプタ及び前記器具本体は、前記器具本体が前記アダプタに装着されることにより、電気的に接続する接続部を備え、前記アダプタは、表裏方向と直交する方向に進退可能な可動体を備え、前記ベースは、前記アダプタが嵌合する凹入部と、前記凹入部の周壁部分に設けられた複数の非係合部分とを備え、前記器具本体が前記アダプタに装着されている場合に、前記器具本体を回転させることにより、前記可動体が前記非係合部分に位置すると、前記可動体が退入状態となり、前記器具本体が前記アダプタから取外し可能となる。
実施形態に係る第２の照明装置は、第１の照明装置において、前記周壁部分は、前記非係合部分が欠けた欠円形状の横断面形状である。
実施形態に係る第３の照明装置は、第１又は第２の照明装置において、前記非係合部分は、前記凹入部の中心軸を挟んで対向しており、その間隔は、前記可動体が退入した状態における前記可動体の先端間の距離に等しい。
実施形態に係る第４の照明装置は、第１〜第３の何れかの照明装置において、前記周壁部分の裏面側には、前記周壁部分よりも中心軸側に張り出した装着部が設けられており、前記装着部により、前記可動体を受け入れる受入凹部が形成されるとともに、前記可動体と係合する係合部が形成される。
実施形態に係る第５の照明装置は、第１〜第４の何れかの照明装置において、前記可動体は、ベース部と、前記ベース部から前記表裏方向と直交する方向に延びる延伸部とを有し、前記延伸部は、側方から見ると表面が前記ベース部から離れるに従って裏側に移る傾斜面となっている。
実施形態に係る第６の照明装置は、第１〜第５の何れかの照明装置において、前記器具本体の前記接続部は導電ピンであり、前記アダプタは、前記導電ピンを受け入れるピン用の凹入部を備えており、前記アダプタの前記接続部は、前記ピン用の凹入部内に配されている。
実施形態に係る第７の照明装置は、第１〜第６の何れかの照明装置において、前記可動体は付勢体により進出するように付勢されている。
明細書の一態様に係る照明装置は、取付部を介して被取付面に取り付けられる照明装置であって、前記取付部を備えるアダプタと、前記アダプタに着脱可能に装着される器具本体とを備え、前記器具本体は、前記アダプタに装着されるベースと、前記ベースの表面に搭載された光源ユニットと、前記ベースの表面全体を覆い且つ前記ベースに固定された透光性カバーとを備え、前記アダプタ及び前記器具本体は、前記器具本体が前記アダプタに装着されることにより、電気的に接続する接続部を備える。
明細書の別態様に係る照明装置において、前記アダプタは、前記取付部を有する取付部材をケースに備え、前記アダプタの前記接続部は前記取付部材に設けられ、前記器具本体は、前記ケースに対して外嵌する嵌合部を有し、前記器具本体の前記接続部は、前記嵌合部が前記ケースに嵌合した際に前記アダプタの前記接続部に接続する。これにより、アダプタへの器具本体の装着により両者が電気的に接続され、取り付け作業を少なくできる。
明細書の別態様に係る照明装置において、前記器具本体の前記接続部は、前記嵌合部の前記ケースへの嵌合方向に延伸する導電ピンを備える。これにより、接続部の構造を簡素化できる。
【０００９】
明細書の別態様に係る照明装置において、前記器具本体と前記アダプタは、前記接続部を複数有し、前記器具本体の各前記接続部は、前記導電ピンを複数有する。これにより、器具本体とアダプタとの電気的接続の信頼性を向上させることができる。
明細書の別態様に係る照明装置において、前記器具本体の前記接続部は、前記導電ピンを前記嵌合方向に付勢する付勢体を備える。これにより、簡易な構造で、器具本体の接続部がアダプタの接続部から離れ難くできる。
明細書実施形態の別態様に係る照明装置において、前記取付部は、引掛刃であり、前記アダプタの前記接続部は、前記取付部材における、前記引掛刃の延出方向と直交する方向に延伸する延伸部分により構成され、前記ケースは、前記導電ピンを内部に受け入れるための凹入部を有すると共に当該凹入部の底に前記アダプタの前記接続部を備える。これにより、アダプタの接続部に人の指等が触れ難くなり、安全性を高めることができる。
明細書の別態様に係る照明装置において、前記ベースは、前記光源ユニットを保持する光源保持部と、前記嵌合部とを一体で有する一体成形品である。これにより、安価に実施できる。
明細書の別態様に係る照明装置において、前記アダプタは、前記嵌合部側に自在に進退する可動体を前記ケースに備え、前記嵌合部は、進出状態にある前記可動体を受け入れる凹部を備える。これにより、器具本体のアダプタへの装着構造を簡素化できる。
【００１０】
＜実施形態＞
実施形態では、天井等の被取付面に取付部材を介して取り付けられる照明装置の一例として、取付部材である引掛刃を備えるシーリングライトについて説明する。なお、照明装置は、天井等に設けられている引掛けシーリング等の被取付部材の取付溝に引掛刃を挿入・回転させることで、天井等に取り付けられると共に商用電源と電気的に接続される。
ここで、天井等がある側を裏側とし、照明装置Ｘから主出射方向に光が出射される側を表側とする。
【００１１】
１．全体
照明装置Ｘは、図１に示すように、照明機能を有する器具本体１と、器具本体１を被取付面に取り付けるためのアダプタ７を備える。換言すると、照明装置Ｘは、被取付面に取り付けたアダプタ７に器具本体１を装着することで、被取付面に取り付けられる。
アダプタ７を説明した後に器具本体１を説明する。
【００１２】
２．アダプタ
図２を用いて説明する。
アダプタ７は複数個（例えば、２個である）の取付部材７１をケース７０に備える。アダプタ７は、器具本体１を装着するためのアダプタ側装着部７２をケース７０に備える。アダプタ７は、器具本体１がアダプタ７に装着されることにより、使用者の作業なしで、器具本体１と電気的に接続するためのアダプタ側接続部７３をケース７０に備える。アダプタ７は、引掛シーリングへの取り付け状態をロックするロック部７４をケース７０に備えてもよい。
ここでは、取付部材７１、アダプタ側装着部７２、アダプタ側接続部７３及びロック部７４を備えるアダプタ７について説明する。なお、アダプタ側接続部７３は、本発明のアダプタの接続部の一例に相当する。
【００１３】
（１）ケース
ケース７０は、複数個、ここでは２個の部品から構成されている。ケース７０は、裏ケース７６と表ケース７７とを有する。ケース７０は、例えば、円盤状をしている。これにより、引掛けシーリングへのアダプタ７の取付操作を容易に行える。なお、取付操作は、引掛刃部７１１を引掛けシーリングの取付溝に挿入した後、アダプタ７を回転させる操作である。
裏ケース７６は、図３及び図４に示すように、蓋部７６１と周壁部７６２とを一体で有する。
表ケース７７は、裏ケース７６の表側開口を覆う底部７７１と、器具本体側接続部５７の導電ピン５７１を内部に受け入れるための凹入部７７２とを有する。
底部７７１は、アダプタ７を引掛けシーリングに取り付ける際の操作用の凹み部７７３を有していている。ここでは、凹み部７７３は、中心軸を挟んで対向する部位に設けられている。
凹入部７７２は、アダプタ７の中心軸を中心とする円環状に凹入し、底部分に円弧状の開口（貫通溝）７７２ａを有する。この開口７７２ａから後述のアダプタ側接続部７３が露出している。なお、凹入部７７２の底部分は、平坦状をし、可動体支持部７６４の一部（平坦部分７７１ｂ）を構成する。
裏ケース７６と表ケース７７との結合はねじ７０１により行われる。ねじ７０１は、表ケース７７の底部７７１の外周部分の貫通孔７７１ａを挿通した後、裏ケース７６の周壁部７６２のねじ孔７６２ａ（図３参照）に螺合する。
【００１４】
（２）取付部材（アダプタ側接続部）
取付部材７１は、引掛けシーリングの取付溝に挿入して係合する引掛刃に相当する引掛刃部７１１を有する。なお、引掛刃部７１１は、本発明の「取付部」の一例に相当する。
ここでの取付部材７１は、器具本体側接続部５７と接続するアダプタ側接続部７３を引掛刃部７１１と一体で有する。これにより、引掛刃部７１１とアダプタ側接続部７３とを別体で構成した際の電気接続が不要となり、構造が簡素化できる。
引掛刃部７１１は、「Ｌ」字状をし、屈曲している部分がケース７０から裏側に延出して引掛けシーリングの取付溝に挿入される。
【００１５】
アダプタ側接続部７３は、引掛刃部７１１の延出方向（ここでは表裏方向と一致する）に直交する方向に延伸している。アダプタ側接続部７３は、ケース７０の周壁部７６２に対応する形状をしている。あるいは、アダプタ側接続部７３はアダプタ７の中心軸を中心とする円弧状をしている。これにより、器具本体１をアダプタ７に装着する際に、ベース樹脂材２の環状凹入部２１がアダプタ７のケース７０の外側に嵌合する状態で、器具本体１をアダプタ７の中心軸を回転軸として回転させても、アダプタ側接続部７３と器具本体側接続部５７との電気接続は確保（維持）される。なお、環状凹入部２１は、本発明の「嵌合部」の一例に相当する。環状凹入部２１にアダプタ７が嵌合した状態では、器具本体１はアダプタ７に装着されず、後述の装着ユニット５０と環状凹入部２１とで、アダプタ７に装着できる。
アダプタ側接続部７３は、後述の表ケース７７の凹入部７７２の底部分の開口７７２ａから露出している。
【００１６】
取付部材７１は、引掛刃部７１１とアダプタ側接続部７３とを連結する連結部７１３を有している。連結部７１３は、アダプタ側接続部７３と同一面状に設けられている。連結部７１３は、取付部材７１を裏ケース７６の蓋部７６１の固定部分７６３（図３参照）に固定されるための固定領域を有する。固定にはねじ７０３が利用される。固定領域は、貫通孔７１３ａにより構成され、当該貫通孔７１３ａを挿通するねじ７０３が、図３に示すように、固定部分７６３のねじ孔７６３ａに螺合する。連結部７１３は、裏ケース７６の蓋部７６１の固定部分７６３の突領域７６３ｂと嵌合する貫通孔７１３ｂを有する。これにより、取付部材７１が裏ケース７６内で位置決めされる（図２の（ａ）参照）。
なお、裏ケース７６の固定部分７６３は、蓋部７６１から表側に凹入する凹入部分により構成され、底領域で取付部材７１のアダプタ側接続部７３の一部と連結部７１３を支持する。底領域には、上述のねじ孔７６３ａや突領域７６３ｂが設けられている。底領域には、連結部７１３に沿って延伸する突領域７６３ｃを有している。突領域７６３ｂ，７６３ｃにより取付部材７１が位置決めされる。なお、ねじ孔７６３ａは、底領域から裏側に延伸するボス領域に形成されている。
【００１７】
（３）アダプタ側装着部
アダプタ側装着部７２は、図３及び図４に示すように、器具本体１側に自在に進退する可動体７２１をケース７０に備える。可動体７２１は表裏方向と直交する方向に移動可能にケース７０の可動体支持部７６４（図３参照）により支持されている。可動体７２１は、付勢体７２５により進出するように付勢される。付勢体７２５としてばねが利用されている。
可動体７２１は、ベース部７２２と、ベース部７２２から表裏方向と直交する方向に延びる延伸部７２３とから構成される。
ベース部７２２は表裏方向に延伸する溝部分７２２ａを有し、当該溝部分７２２ａと、蓋部７６１から表側に板状に延伸する付勢体支持部７６６（図３参照）との間に付勢体７２５が配される。ここでの付勢体支持部７６６は、断面形状が「コ」字状をし、付勢体（ばね体）を位置決めする凸部７６６ａを有する。なお、図２の（ａ）では、付勢体支持部７６６の形状を見せるために、付勢体７２５の図示は省略している。
ベース部７２２には、図３に示すように、ケース７０の可動体支持部７６４のレール部分７６４ａに嵌合する嵌合溝７２２ｂを一対で有する。これにより、可動体７２１の移動をスムーズに行える。
延伸部７２３は、側方から見ると、裏面７２３ａが平坦（表裏方向と直交する）状をし、表面７２３ｂがベース部７２２から離れるにしたがって裏側に移る傾斜面となっている。器具本体１のアダプタ７への装着は、ベース樹脂材２の環状凹入部２１をアダプタ７のケース７０に嵌合させて行う。この際、アダプタ７に対して器具本体１を近づけた際に、傾斜面があるため、器具本体１の装着ユニット５０に係合し易くできると共に、係合状態が維持され易くできる。なお、付勢体７２５より可動体７２１の進出状態（係合状態）が維持される。
可動体支持部７６４は、蓋部７６１の表側面であって可動体７２１のベース部７２２の裏側面と対向する部分７６４ｂ（図３参照）と、表ケース７７の底部７７１であって可動体７２１のベース部７２２の表側面と対向する平坦部分７７１ｂ（図４参照）とで構成される。
【００１８】
（４）ロック部
ロック部７４は、図３及び図４に示すように、引掛けシーリングへのアダプタ７の取り付けの際に引掛けシーリングの取付溝に可動部７４１ａが進入し、使用者の操作部７４１ｂの操作により可動部７４１ａが取付溝から退出するロック体７４１をケース７０のロック体収容部に備える。
ロック体７４１は、裏側端部が裏ケース７６の蓋部７６１の貫通孔７６１ｂ（図４参照）から延出する可動部７４１ａと、表ケース７７の底部７７１に設けられている凹み部７７３の貫通孔７７３ａから一部が露出する操作部７４１ｂと、操作部７４１ｂの操作により可動部７４１ａの裏側端が蓋部７６１の貫通孔７６１ｂから退入させる（取付溝から退出させる）連結部７４１ｃを有する。ここでは、使用者が操作部７４１ｂを中心軸に向かって押圧させると、可動部７４１ａが表側に移動するように、連結部７４１ｃが弾性変形する。
ロック体７４１は、表ケース７７の底部７７１の支持面７７１ｃに沿って（径方向）操作部７４１ｂがスライドするのを補助する径方向補助部７４１ｄを操作部７４１ｂに隣接して有する。ロック体７４１は、可動部７４１ａがロック体収容部内で表裏方向にスライドするのを補助する表裏方向補助部７４１ｅを可動部７４１ａに隣接して有する。なお、ここでのロック体７４１の連結部７４１ｃは、正確には、径方向補助部７４１ｄと表裏方向補助部７４１ｅを連結している。
【００１９】
ロック体収容部は、裏ケース７６の蓋部７６１の裏収容部７６５と、表ケース７７の底部７７１の支持面７７１ｃと底部７７１における支持面７７１ｃの周辺部分とで構成される。
裏収容部７６５は、蓋部７６１から表側に延伸して、ロック体７４１の可動部７４１ａと表裏方向補助部７４１ｅの周囲を覆う。
蓋部７６１の貫通孔７６１ｂの大きさは可動部７４１ａに対応しており、可動部７４１ａの裏側への移動は、可動部７４１ａに対して段差状に設けられた表裏方向補助部７４１ｅが蓋部７６１に当接することで規制される。操作部７４１ｂの径方向への移動は、蓋部の７６１の板状の延伸部分７６７に操作部７４１ｂの裏側端部が係合することで規制される。
【００２０】
３．器具本体
図５及び図６を用いて説明する。
器具本体１は、少なくとも、ベース樹脂材２、光源ユニット３、透光性カバー６を備え、アダプタ７との電気接続を行う接続ユニット５５を備える。器具本体１は、光源ユニット３に電力を供給するための電源ユニット４を備えてもよいし、アダプタ７に装着するための装着ユニット５０を備えてもよいし、光源ユニット３をベース樹脂材２に固定するための固定具３７を備えてもよい。なお、ベース樹脂材２は、本発明の「ベース」の一例に相当する。
本実施形態では、電源ユニット４、装着ユニット５０及び固定具３７を備える照明装置Ｘについて説明する。
【００２１】
（１）ベース樹脂材
ベース樹脂材２は、図５及び図６に示すように少なくとも、光源ユニット３を表側に保持する機能と、アダプタ７に装着する機能と、アダプタ７と電気的に接続する機能とを有している。ここでは、器具本体１は電源ユニット４及び透光性カバー６を備えるため、ベース樹脂材２は、電源ユニット４を保持する機能及び透光性カバー６を保持する機能を有している。
ベース樹脂材２は、図１０又は図１１に示すように、少なくとも、裏側に凹入する部分が表側から見ると環状をする環状凹入部２１と、環状凹入部２１の開口縁から径方向に板状に延伸する平坦状部２３とを有する。ここでのベース樹脂材２は、裏側に凹入する溝状部２５を平坦状部２３の外周に有する。
ベース樹脂材２は、樹脂材料により構成され、環状凹入部２１、平坦状部２３及び溝状部２５を一体に成形してなる一体成形品で構成される。
環状凹入部２１は、後述の接続ユニット５５を保持する接続ユニット保持部を構成する。環状凹入部２１は、後述の装着ユニット５０を保持する装着ユニット保持部を構成する。環状凹入部２１は、アダプタ７の外側に嵌合する。平坦状部２３は、表面に光源ユニット３を保持（搭載）する光源保持部を構成する。平坦状部２３は、裏面に電源ユニット４を保持（搭載）する電源保持部を構成する。平坦状部２３は、透光性カバー６を保持する透光性カバー保持部を構成する。
【００２２】
（１−１）環状凹入部
環状凹入部２１は、裏側から見ると、電源ユニット４が配される側が欠けた欠円状又は欠円状に近い形状をする。環状に凹入している部分の表側は開放している。環状凹入部２１は、内周壁部分２１１、外周壁部分２１２及び蓋壁部分２１３を有している。ここでの環状凹入部２１は、環状の内側を塞ぐ閉塞部２１４を有する。
【００２３】
内周壁部分２１１は、アダプタ７から器具本体１を外す際に、アダプタ側装着部７２に対向する複数部位（ここでは２部位であり、この部位を非係合部分ともいう）２１１ａが欠けた（直線状をした）欠円形状又は欠円形状に近い形状を横断面形状として有している。この２つの非係合部分２１１ａは、環状凹入部２１の中心軸に挟んで対向しており、その間隔は、アダプタ７のアダプタ側装着部７２の可動体７２１が退入した状態又はそれに近い状態における可動体７２１の先端間の距離に略等しい。
非係合部分２１１ａの周方向の長さは、非係合部分２１１ａに当接する可動体７２１の周方向の長さと略同じに構成されている。これにより、アダプタ７から器具本体１を容易に外すことができる。
内周壁部分２１１は、非係合部分２１１ａの周方向の両側に中心軸側に張り出す張出部分２１１ｂを有している。これにより、人の操作なしで、器具本体１がアダプタ７から外れるのを防止できる。
【００２４】
外周壁部分２１２は内周壁部分２１１に対して径方向に離間している。外周壁部分２１２は、電源ユニット４側が欠けた欠円形状又は欠円形状に近い形状をし、欠けた部分２１２ａに貫通孔２１２ｂ（図１１参照）を有している。貫通孔２１２ｂは、電源ユニット４と接続ユニット５５とを電気的に接続するケーブル４８が挿通するためのものである。
【００２５】
蓋壁部分２１３は、図１１に示すように、内周壁部分２１１側が下がる段差２１３ａを有している。つまり、表側蓋壁領域２１３ｂと裏側蓋壁領域２１３ｃとを段付き状に備える。段差２１３ａを利用して、装着ユニット５０が嵌合し、表側蓋壁領域２１３ｂにより支持される。表側蓋壁領域２１３ｂには、接続ユニット５５を固定するための固定部が設けられている。固定には、図８及び図９に示すように、複数個のねじ２１９が利用され、凹入部分を表側に延出するボス２１３ｅ（図１０参照）に設けられたねじ孔２１３ｄが固定部として機能する。
固定状態にある装着ユニット５０の内周縁は、内周壁部分２１１の非係合部分２１１ａ及び張出部分２１１ｂを除いた領域で、内周壁部分２１１よりも中心軸側に張り出し、装着ユニット５０の表側に可動体７２１を受け入れる受入凹部２１１ｄ（図６参照）が形成されると共に張出部分で可動体７２１が係合する係合部が形成される。つまり、環状凹入部２１と装着ユニット５０とで器具側装着部が構成される。
【００２６】
蓋壁部分２１３は、裏側に延伸する延伸領域２１３ｆ（図１１参照）をベース樹脂材２の中心を挟んで対向する部位に有する。より具体的には、延伸領域２１３ｆは内周壁部分２１１の非係合部分２１１ａ及び張出部分２１１ｂに連続して設けられている。つまり、延伸領域２１３ｆの内周側の面と、非係合部分２１１ａ及び張出部分２１１ｂの内周側の面とが面一状になっている。これにより、器具本体１をアダプタ７からスムーズに外すことができる。また、延伸領域２１３ｆの内周側の面と、非係合部分２１１ａ及び張出部分２１１ｂの内周側の面とが面一状で裏側拡がりに傾斜している。これにより、器具本体１をアダプタ７から重力で落下するようにして外すことができる。
なお、器具本体１がアダプタ７に装着された状態において、アダプタ７の可動体７２１が装着ユニット５０の表側にある受入凹部２１１ｄに位置すると係合状態（取り外し不可状態）であり、アダプタ７の可動体７２１が装着ユニット５０の欠け部分５１３，５３３又は非係合部分２１１ａに位置すると非係合状態（取り外し可能状態）である。係合状態及び非係合状態の切り替えは、器具本体１をアダプタ７に対して回転させることで行える。
【００２７】
閉塞部２１４は内周壁部分２１１の表側端を閉塞する。ここでの閉塞部２１４は、内周壁部分２１１に設けられた平坦環状の底部分２１４ａと、底部分２１４ａの内周縁から裏側に突出する有蓋筒状部分２１４ｂとを有する。
【００２８】
底部分２１４ａは、表側から見ると円環状をし、図１０に示すように、電源ユニット４側に溝領域２１４ｃを有している。溝領域２１４ｃは、図１１に示す環状凹入部２１の外周壁部分２１２の貫通孔２１２ｂの近傍に設けられている。溝領域２１４ｃは、電源ユニット４と接続ユニット５５とを電気的に接続するためのケーブル４８用である。
底部分２１４ａの内周端側には、図７の拡大図の示すように、段付き突条領域２１４ｄを有する。段付き突条領域２１４ｄは、内周側（中心側）が外周側よりも表側に突出する。なお、段付き突条領域２１４ｄは、光源ユニット３を位置決め状態で支持する。
【００２９】
有蓋筒状部分２１４ｂは、後述の接続ユニット５５の導電ピン５７１を挿通させるための貫通孔２１４ｅ（図１１参照）と、導電ピン５７１の表裏方向の移動を支持する筒領域２１４ｆ（図１０参照）と、接続ユニット５５をベース樹脂材２に固定するための固定領域２１４ｇとを有する。
有蓋筒状部分２１４ｂは、後述の接続ユニット５５を周方向に位置決めするベース樹脂材側位置決め領域２１４ｈを周壁部分に有する。ここでのベース樹脂材側位置決め領域２１４ｈは、図１０に示すように、径方向の中心に向かって凸出して表裏方向に延伸する突条部分（縦リブ）により構成されている。
【００３０】
（１−２）平坦部
平坦状部２３は、図１０及び図１１に示すように、全体として円形状をしている。
平坦状部２３は、裏側に凹入する凹入部分を複数個有している。凹入部分は平坦状部２３（ベース樹脂材２）を補強する機能を有する。ここでの凹入部分は、内側の仮想円上に「Ｃ」字状に設けられた内凹入部分２３１と、内凹入部分２３１の外側であって内凹入部分２３１の仮想円と同心の仮想円上に周方向に間隔をおいて設けられた外凹入部分２３２と、内凹入部分２３１と外凹入部分２３２とを径方向に連結するように設けられた連結凹入部分２３３とがある。
平坦状部２３における凹入していない部分２３４が光源ユニット３と対向する。平坦状部２３は、表側に突出して光源ユニット３を支持する突条部分を有する。突条部分は、図１０に示すように、径方向に延伸する径方向突条部分２３５と、平坦状部２３の外周を周方向に沿って延伸する外周突条部分２３７とを有し、径方向突条部分２３５が周方向に等間隔をおいて３個ある。
径方向突条部分２３５、外周突条部分２３７及び環状凹入部２１の段付き突条領域２１４ｄにより、光源ユニット３を構成する３個の扇状の光源モジュール３１Ａ，３１Ｂ，３１Ｃ（図８及び図９参照）が位置決めされる。
平坦状部２３は、図１１に示すように、電源ユニット４を固定するねじが螺合するためのねじ部分２３９を裏面に有する。なお、ねじ部分２３９には、インサートねじ等が一体成形されている。
平坦状部２３は、図１１に示すように、補強用のリブ部分を裏面に有する。リブ部分は、内凹入部分２３１と外凹入部分２３２とを径方向に連結する内リブ部分２３８ａと、外凹入部分２３２と溝状部２５とを径方向に連結する外リブ部分２３８ｂとがある。
【００３１】
（１−３）溝状部
溝状部２５は、図１０及び図１１に示すように、内周壁部分２５１、外周壁部分２５２及び底部分２５３により構成され、溝状部２５内に、図７に示すように、光源ユニット３の固定具３７の周当接部３７３や透光性カバー６の透光性カバー側装着部６１３が収容される。
溝状部２５は、外周壁部分２５２の表側端から径方向の外方へ延伸した後に裏側に屈曲するＬ字部分２５４を有している。Ｌ字部分２５４は、図７に示すように、透光性カバー６の溝状部６１２に嵌る。なお、Ｌ字部分２５４の裏面には外周壁部分２５２と内周壁部分２５１とに跨るリブ領域２５４ａ（図１１参照）が周方向に間隔をおいて複数個設けられている。
溝状部２５は、図１０に示すように、固定具３７を固定するためのねじ３９（図８及び図９参照）が螺合するねじ孔部分２５５を内周壁部分２５１と底部分２５３とに跨る状態で周方向に複数個有する。なお、ねじ孔部分２５５は、平坦状部２３の径方向突条部分２３５に対して周方向に外れた位置に設けられている。これにより、固定具３７をベース樹脂材２に固定した際に、径方向突条部分２３５により支持される光源モジュール３１Ａ，３１Ｂ，３１Ｃの周方向の端部（隣接する光源モジュールが周方向に対向している部分）に過度な負荷が作用するのを防止できる。
溝状部２５は、透光性カバー６を固定するための固定部分を有する。固定には、図５及び図６に示すように、ねじ２５９が利用され、表側に延出するボス２５６（図１０参照）に設けられた貫通孔２５７が固定部分として機能する。
【００３２】
（２）光源ユニット
主に、図８又は図９を用いて説明する。
光源ユニット３は、円環状をし、３つの円弧状の光源モジュール３１Ａ，３１Ｂ，３１Ｃを備える。なお、光源モジュールを区別する必要がない場合、符号を単に「３１」として説明する。
光源モジュール３１は、図８の拡大図のように、発光素子の一例であるＬＥＤ素子３２と、複数個のＬＥＤ素子３２を実装する配線体３３とを備える。
配線体３３は、離間する複数個の導電片３４から構成され、隣接する導電片３４にＬＥＤ素子３２が跨るように実装されている。なお、導電片３４は、金属板、絶縁板の面に導電処理した板材等を利用できる。
配線体３３は、離間する複数個の導電片３４を補強する補強部３５を表裏にそれぞれ備える。
【００３３】
光源ユニット３は、外周側が固定具３７により、内周側が接続ユニット５５によりそれぞれ支持され固定されている。
固定具３７は、環状をし、光源ユニット３の表面の外周部に当接する表当接部３７１と、表当接部３７１の外周縁から裏側に延伸してベース樹脂材２の溝状部２５の内周壁部分２５１に当接する周当接部３７３とを有する。つまり、固定具３７は、横断面形状が「Ｌ」字の円環状をしている。
固定具３７は、透光性カバー６を装着するための装着部を有している。ここでは、装着部は、器具本体１（照明装置Ｘ）の中心軸（以下、単に「中心軸」ともいう）回りに透光性カバー６を回転させた際に、透光性カバー６の透光性カバー側装着部６１３（図６参照）が係合する固定具側装着部３７５により構成されている。
固定具側装着部３７５は、周当接部３７３の外周面に周方向に等間隔をおいて複数個（ここでは３個である）ある。
固定具３７は、当該固定具３７をベース樹脂材２に固定するための固定部３７７を有している。固定部３７７は、周当接部３７３の外周面であって固定具側装着部３７５と周方向に隣接（接続）する状態で、周方向に等間隔をおいて複数個（ここでは３個である）ある。図８に示すように、固定にはねじ３９が利用され、ベース樹脂材２のねじ孔部分２５５に螺合するねじ３９が挿通する挿通孔を有する。
固定具３７は、当該固定具３７をベース樹脂材２に装着するための装着部３７９を有している。装着部３７９は、周当接部３７３の内周面であって周方向に隣接する固定部３７７間の略中央となる部位に設けられている。装着部３７９は、周方向に等間隔をおいて複数個（ここでは３個ある）ある。装着部３７９は、ベース樹脂材２の溝状部２５の内周壁部分２５１の係合凹部分２５１ａ（図１０参照）に係合する係合凸部分３７９ａにより構成されている。なお、装着部３７９は、係合凸部分３７９ａが設けられている周当接部３７３の厚み方向への弾性変形を可能とするための一対の溝部分３７９ｂを係合凸部分３７９ａの周方向の両側に有する。
【００３４】
（３）電源ユニット
主に、図５〜図７を用いて説明する。
電源ユニット４は電源ケース４１内に電源回路４２（図７参照）を収容してなる。
電源ケース４１は、電源ベース４３と、電源ベース４３の覆う電源カバー４５とから構成される。電源回路４２は複数の電子部品４６（図７では、１個のブロックとして表している）が電源基板４７に実装されてなる。
電源カバー４５の裏面には、図１に示すように、ガタツキ防止用の弾性部材（スポンジ等）２９が設けられている。なお、弾性部材２９は、ベース樹脂材２の外凹入部分２３２における連結凹入部分２３３との連結部分にも設けられている。
電源ケース４１は、図６に示すように、電源ユニット４をベース樹脂材２に固定するためのねじ４９が挿通する挿通孔４３１を複数個（４個）有している。なお、ねじ４９は、ベース樹脂材２の平坦状部２３の裏面のねじ部分２３９に螺合する。
電源回路４２は、ケーブル４８を介して接続ユニット５５に接続され、ケーブル４８と接続するコネクタ４９１（図７参照）が電源基板４７に設けられている。
【００３５】
（４）接続ユニット
図１２及び図１３を用いて説明する。
接続ユニット５５は、器具本体１がアダプタ７に装着された際、換言すると、器具本体１の環状凹入部２１がアダプタ７のケース７０に嵌合した際に、アダプタ７の取付部材７１のアダプタ側接続部７３と接続する。なお、環状凹入部２１のケース７０への嵌合は、器具本体１をアダプタ７に対して近接する方向、換言すると、裏側に移動させることで行われ、近接する方向を嵌合方向とする。
接続ユニット５５は、ベース板５６と、アダプタ７の取付部材７１のアダプタ側接続部７３と電気的に接続する器具本体側接続部５７とを少なくとも備える。ここでの器具本体側接続部５７は、複数個、ここでは２個ある。プレート５８を介して絶縁性樹脂材料から構成されるベース板５６に取り付けられている。なお、器具本体側接続部５７は、本発明の器具本体の接続部の一例に相当する。
【００３６】
（４−１）ベース板
ベース板５６は、図７に示すように、ベース樹脂材２の環状凹入部２１に固定される。
ベース板５６は、図７の拡大図に示すように、光源ユニット３（光源モジュール３１）の内周部を表側から支持する光源ユニット支持部５６２を有する。ここでの光源ユニット支持部５６２は、例えば裏側に突出する突条により構成され、突条が周方向に連続している。突条の先端部分は、光源モジュール３１の配線体３３に当接する。
ベース板５６は、光源ユニット支持部５６２の表側部分から径方向の外方へ張り出す外鍔部５６３を有してもよい。外鍔部５６３を有する場合、外鍔部５６３における光源ユニット３の補強部３５と干渉する部分５６３ａが、表側に膨出している（図１２参照）。なお、外鍔部５６３はなくても光源ユニット３を支持できる。
【００３７】
ベース板５６は、ベース樹脂材２の環状凹入部２１に対して径方向に位置決めする位置決め部５６４を有している。ここでの位置決め部５６４は、図７に示すように、光源ユニット支持部５６２の内周側に設けられ、環状凹入部２１の閉塞部２１４の底部分２１４ａに形成された段付き突条領域２１４ｄに嵌合する嵌合部により構成される。なお、嵌合部は、光源ユニット支持部５６２の突条部分を利用して、表側に凹入する溝により構成されている。環状凹入部２１は円形状をしているため、段付き突条領域２１４ｄ及び位置決め部５６４を構成する溝も、表裏方向からみると円形状をしている。
【００３８】
ベース板５６は、器具本体側接続部５７を備えるプレート５８を装着するためのプレート装着部５６５を有する。ここでは、プレート装着部５６５は、図１３に示すように、プレート５８の本体部５８１が嵌合する貫通孔５６５ａと、ベース板５６及びプレート５８をベース樹脂材２に固定するためのねじ５９（図８及び図９参照）が挿通するための貫通孔５６５ｂとにより構成されている。貫通孔５６５ｂは、貫通孔６５６ａに対して周方向の両側にある。
【００３９】
ここでのベース板５６は、環状凹入部２１の閉塞部２１４を覆う被覆部５６６を有している。被覆部５６６は、裏側からベース板５６を見たときに、円形状の位置決め部５６４の内側に位置する。ベース板５６は、被覆部５６６を有することで、環状凹入部２１を表側から見た形状と略同じ形状（ここでは円形状である）となる。
被覆部５６６は、例えば、有蓋筒状をし、筒部が位置決め部５６４の溝を形成している内周壁の延長上にある。被覆部５６６にはプレート装着部５６５と、貫通孔５６１が設けられている。なお、有蓋筒状の被覆部５６６の蓋部分は、裏側に一段上がる段差状をしている。
【００４０】
被覆部５６６の周壁部には、ベース樹脂材２に対して位置決めするユニット側位置決め部５６８が設けられている。ユニット側位置決め部５６８は、ベース樹脂材側位置決め領域２１４ｈと嵌合する構造を有している。ここでは、ユニット側位置決め部５６８は径方向に凹入する凹入部分により構成され、閉塞部２１４のベース樹脂材側位置決め領域２１４ｈは径方向の突出する凸出部分により構成されている。なお、ユニット側位置決め部５６８とベース樹脂材側位置決め領域２１４ｈとの凹凸関係は逆であってもよい。
【００４１】
被覆部５６６には貫通孔５６１又は欠け部が設けられている。ここでは、被覆部５６６の中央に貫通孔５６１が設けられている。貫通孔５６１は、電源ユニット４と器具本体側接続部５７とを電気的に接続するためのケーブル４８用である。
被覆部５６６の表側には、ベース板５６を補強する補強部が設けられている。補強部５６７は、図１３の（ａ）に示すように、貫通孔５６１の周囲から表側に延伸する筒部分５６７ａと、筒部分５６７ａと外鍔部５６３とを径方向に連結する連結部分５６７ｂとから構成される。
【００４２】
（４−２）器具側接続部
器具本体側接続部５７は１本以上の導電ピン５７１を少なくとも備える。ここでの導電ピン５７１は複数本あり、裏側へと延伸する。複数本の導電ピン５７１は、器具本体１をアダプタ７に装着する際に、環状凹入部２１がケース７０に嵌合した状態で器具本体１を回転させたときの円周上に位置するように設けられている。なお、ここでの１つの器具本体側接続部５７は、導電ピン５７１を２本備えている。
導電ピン５７１は、ベース樹脂材２（アダプタ７）と反対側で、圧着端子４８１を介して、ケーブル４８と接続される。
【００４３】
なお、圧着端子４８１は、導電ピン５７１のねじ部５７１ａが圧着端子４８１を挿通して、固定用のナット４８３と緩止め用のナット４８３等で固定されている。
器具本体側接続部５７は、導電ピン５７１をアダプタ７側（裏側）に付勢する付勢体５７２を有する。なお、導電ピン５７１は、軸方向の中央に径方向に張り出す中鍔５７１ｂを有し、中鍔５７１ｂの表面側が付勢体５７２と当接する。付勢体５７２としてばねを利用している。
器具本体側接続部５７は、図１３に示すように、導電ピン５７１の中鍔５７１ｂよりも表側（ねじ部５７１ａ側である）を、プレート５８の裏側から付勢体５７２、プレート５８の貫通孔５８１ａを通してプレート５８の表側に延出させて、導電ピン５７１のねじ部５７１ａにケーブル４８の圧着端子４８１をナット４８３で固定することで、プレート５８に組み立てられる。
【００４４】
２本の導電ピン５７１は、アダプタ側接続部７３の円弧形状と同じ円周上に位置するように設けられているため、器具本体１をアダプタ７に装着する際に器具本体１を回転させても電気的接続が維持される。
接続ユニット５５がベース樹脂材２に取り付けられた状態では、図１の（ｂ）に示すように、導電ピン５７１の裏側部分がベース樹脂材２の閉塞部２１４の貫通孔２１４ｅから延出し、導電ピン５７１の中鍔５７１ｂが筒領域２１４ｆ内に位置する。器具本体１がアダプタ７に装着された状態では、導電ピン５７１の中鍔５７１ｂがベース樹脂材２の貫通孔２１４ｅの周辺部よりも表側の位置で、導電ピン５７１はアダプタ７のアダプタ側接続部７３に当接するように、ベース樹脂材２とアダプタ７との間隔が設定されている。これにより、導電ピン５７１がアダプタ側接続部７３に接触した状態では、導電ピン５７１はアダプタ側接続部７３側に付勢されており、電気的接続の信頼性を向上できる。
【００４５】
（４−３）プレート
プレート５８は、ベース板５６のプレート装着部５６５に装着される本体部５８１と、本体部５８１に対して周方向の両側に設けられた固定部５８２とを有する。
本体部５８１は、導電ピン５７１用の貫通孔５８１ａを複数個（ここでは２個である）有する。固定部５８２は、ねじ５９（図８参照）用の貫通孔５８２ａを有する。
【００４６】
（５）装着ユニット
主に、図１４を用いて説明する。
装着ユニット５０は、図１４に示すように、複数の板部材により構成される。ここでは、装着ユニット５０は、２枚の板部材により構成されている。装着ユニット５０は、裏側に位置する裏板部材５１と、表側に位置する表板部材５３とを有する。
裏板部材５１と表板部材５３は、略同じような形状をし、環状をしている。裏板部材５１と表板部材５３とは、１個又は複数個（ここでは６個である）の貫通孔５１１，５３１を有し、図９に示すように、ベース樹脂材２の蓋壁部分２１３の段差２１３ａに嵌った状態で、ねじ２１９が貫通孔５１１，５３１を挿通して表側蓋壁領域２１３ｂのねじ孔２１３ｄに螺合する。これにより、ベース樹脂材２に固定される。
裏板部材５１と表板部材５３の内周縁は、内部にアダプタ７が嵌合した際に、アダプタ側装着部７２の欠け部分２１１ａ（図１１参照）に対応して、その部分５１３，５３３が欠けた欠円形状又は欠円形状に近い形状を有している。ここでは、図９に示すように、欠け部分５１３，５３３は略直線状をし、ベース樹脂材２の蓋壁部分２１３の延伸領域２１３ｆと対向（当接）する。これにより、装着ユニット５０がベース樹脂材２に対して周方向に位置決めされる。
裏板部材５１と表板部材５３の外周縁は、電源ユニット４側が欠けた欠円形状又は欠円形状に近い形状をしている。
装着ユニット５０がベース樹脂材２に取り付けられた状態では、図１の（ｂ）に示すように、装着ユニット５０の内周縁形状が円弧をして部分５０ａがベース樹脂材２の環状凹入部２１の内周壁部分２１１よりも中心軸側に張り出し、この張り出した部分に、アダプタ７の可動体７２１がケース７０から径方向に張り出して係合する。これにより、アダプタ７に器具本体１が装着できる。
裏板部材５１は樹脂材料等の絶縁材料により構成され、表板部材５３は金属材料により構成されている。これにより、引掛けシーリング側との絶縁性、アダプタ７への器具本体１の装着強度を確保できる。なお、裏板部材５１はポリカーボネート（ＰＣ）により構成され、表板部材５３は鋼板材に対してニッケルメッキを処理したものにより構成されている。
【００４７】
（６）透光性カバー
主に、図５及び図６を用いて説明する。
透光性カバー６は、透光性の樹脂材料により構成され、固定具３７に装着される裏カバー６１と、裏カバー６１に取り付けられる表カバー６３とを有する。裏カバー６１及び表カバー６３は、拡散粒子等を含んだ、所謂、乳白色カバーである。
裏カバー６１は、表側拡がりの環状の裏カバー本体部６１１と、裏カバー本体部６１１の内側に設けられた溝状部６１２と、溝状部６１２に対して中心軸側の溝壁に設けられた透光性カバー側装着部６１３と、裏カバー本体部６１１の表側端部に設けられ且つ表カバー６３の表カバー側装着部６３５に装着する裏カバー側装着部６１４とを有する。
透光性カバー側装着部６１３は、例えば、裏カバー６１の中心軸回りの相対的な回転により、固定具３７の固定具側装着部３７５と係合する。なお、透光性カバー側装着部６１３は周方向に間隔をおいて複数個（例えば６個）ある。
裏カバー６１は、さらに、ベース樹脂材２に透光性カバー６を固定するための固定部を有する。固定には、ねじ２５９が利用され、ねじ２５９が裏側から、ベース樹脂材２の溝状部２５のボス２５６の貫通孔２５７を挿通するねじ２５９が螺合するねじ孔６１５により固定部が構成される。なお、ねじ孔６１５は、透光性カバー側装着部６１３のボス６１６に形成されている。
表カバー６３は、表側から見たときに円形状で且つ全体としてドーム状をするドーム部６３１と、ドーム部６３１の開口側に設けられた筒部６３３と、筒部６３３に設けられた表カバー側装着部６３５（図６参照）とを有する。
表カバー側装着部６３５は、周方向に間隔をおいて複数個（例えば８個）ある。表カバー側装着部６３５と裏カバー６１の裏カバー側装着部６１４とは、互いに係合する凸部又は凹部（貫通孔を含む）を有している（図示省略）。
以上説明したように、アダプタ７に器具本体１を装着することにより、電気的な接続が行われる。このため、透光性カバー６をベース樹脂材２から取り外して配線するなどの作業が不要であり、透光性カバー６が容易に取り外せないよう、ねじ２５８によりベース樹脂材２に固定できる。この結果、誤って光源ユニット３などの通電部に接触する恐れがなく、通電部への接触を防止する保護カバーを備える必要がない。保護カバーによる光量ロスをなくせるため照明装置Ｘの発光効率向上に寄与する。
【００４８】
以上、実施形態を説明したが、この実施形態に限られるものではなく、例えば、以下のような変形例であってもよい。また、実施形態と変形例、変形例同士を組み合わせたものであってもよい。
また、実施形態や変形例に記載していない例や、要旨を逸脱しない範囲の設計変更があっても本発明に含まれる。
【００４９】
＜変形例＞
１．アダプタ
アダプタ７は、引掛けシーリングへの取付部として引掛刃部７１１を備えているが、他の取付部を備えてもよく、例えばＧＸタイプ等を取付部としてもよい。
アダプタ７は、円盤状をしているが、器具本体との装着構造によっては、多角形盤状をしてもよい。アダプタ７は、ロック部を有しているが、有しなくてもよい。
アダプタ７は、複数個（例えば２個）のアダプタ側装着部７２を周方向に間隔をおいて備え、複数個（例えば２個）のアダプタ側接続部７３を隣接するアダプタ側装着部７２間に配しているが、アダプタ側装着部の個数や位置、アダプタ接続部の個数や位置は、実施形態に限定するものではない。
本実施形態のように、アダプタ側装着部とアダプタ側接続部の個数が同じである場合、周方向に交互に配置する方が、アダプタ側接続部が周方向に離れることとなり、絶縁性を確保できる。また、アダプタ側装着部とアダプタ側接続部の個数が同じである場合、中心軸に対して点対称となるように配置する方が、重量バランスの点で好ましい。
アダプタ７は、取付部の一例である引掛刃部７１１とアダプタ側接続部７３とを一体で備える取付部材７１を有しているが、例えば、引掛刃部７１１とアダプタ側接続部７３とを別体で有し、引掛刃部とアダプタ接続部とをケーブル等の他の導電部材により接続してもよい。
アダプタ７は、器具本体１の装着ユニット５０（嵌合部）に係合するアダプタ側装着部７２を有しているが、他の方法で、器具本体を装着してもよい。他の方法としては、アダプタケースの外周面の雄ねじに、器具本体の環状凹入部の内周壁部分の雌ねじを螺合させる方法等がある。なお、装着作業を考慮すると、器具本体１の環状凹入部２１をアダプタ７に位置合わせした状態で、器具本体１をアダプタ７に近づけることで係合する構造が好ましい。
【００５０】
２．器具本体
器具本体１は、電源ユニット４を備えているが、電源ユニットを備えていなくてもよい。このような器具本体としては、例えば、器具本体と別体の電源ユニットから取付部を介して光源ユニットが受電するような装置等がある。
実施形態では、特に説明していないが、器具本体は、リモコン操作可能に構成されてもよい。この場合、例えば、受信器を光源ユニットの表側に配置し、受信器からの信号に基づいて光源ユニットを制御する制御部を電源ユニット等に設けることで実施できる。
透光性カバー６の形状は、表側から見たときに、円形状であるが、正方形、長方形等の他の形状であってもよい。
透光性カバー６は、裏カバー６１と表カバー６３との二部材により構成されているが、例えば、一部材で構成してもよいし、三部材以上で構成してもよい。
透光性カバー６は、固定具３７に装着され且つベース樹脂材２に固定されているが、固定具に装着・固定されてもよいし、ベース樹脂材に装着されて固定具で固定されてもよいし、ベース樹脂材に装着・固定されてもよいし、固定具３７以外の別部材を介してベース樹脂材に装着又は固定されてもよい。
（１）ベース樹脂材
ベース樹脂材２は、樹脂材料により構成され、環状凹入部２１、平坦状部２３及び溝状部２５を一体に成形してなる一体成形品で構成されているが、環状凹入部と平坦状部とを別部材で構成した後、結合して一体化してもよい。
（１−１）環状凹入部
環状凹入部２１は中空状に凹入しているが、アダプタ７と嵌合できればよく、中実状に凹入してもよい。但し、重量、材料費、強度面を考慮すると、中空が好ましい。
環状凹入部２１は裏側に凹入しているが、アダプタ７と嵌合できればよく、例えば、表側に突出してもよい（ベース樹脂材の表面を基準としている）し、裏側に凹入し且つ表側に突出してもよい。表裏に亘る場合、平坦状部２３は環状凹入部の表裏方向の中間部位に位置することになる。この観点から、これらの環状凹入部や環状突出部は環状部ともいえる。
環状凹入部２１は、周方向に連続した環状をしているが、アダプタ７と嵌合できればよく、例えば、周方向に間隔をおいて凹入（突出）していない部分があってもよい。
環状凹入部２１の蓋壁部分２１３は、装着ユニット５０を位置決めするための段差２１３ａを有しているが、他の構造で位置決めしてもよい。他の構造として、例えば、蓋部分の裏側に突出する凸部分が、装着ユニットの貫通孔や凹みに嵌合するようにしてもよいし、蓋部分の表側に凹入する凹入部に装着ユニットの凸部分が嵌合するようにしてもよい。
【００５１】
（１−２）平坦状部
平坦状部２３は、凹入部分２３１，２３２，２３３を有しているが、平坦部分を補強できれば、他の構造であってもよいし、他の形状であってもよいし、補強する必要がなければ凹入部分を有していなくてもよい。
平坦状部２３は、水平方向に平行な部分を有しているが、水平方向に対して傾斜する部分を有してもよいし、水平方向に平行な部分と水平方向に対して傾斜する部分との両方を有してもよい。
平坦状部２３の形状は、表側から見たときに、円形状であるが、正方形、長方形等の他の形状であってもよい。
平坦状部２３の裏面の一部が電源ユニット４を保持する電源保持部となっているが、平坦部分の表面の一部が電源ユニットを保持する電源保持部であってもよい。
照明装置が電源ユニットを備えない場合（電源ユニット別体構造等）、平坦状部２３の内凹入部分２３１と外凹入部分２３２は、全体として円環状をしてもよい。
（１−３）溝状部
ベース樹脂材２は、溝状部２５を有しているが、溝状部を有していなくてもよい。この場合、平坦状部２３の表側で固定具側装着部３７５と透光性カバー側装着部６１３とを係合させることで実施できる。
【００５２】
（２）光源ユニット
光源ユニット３の形状は、表側から見たときに、円形状であるが、照明装置の形状に合わせて、正方形、長方形等の他の形状であってもよい。光源ユニット３は、３個の光源モジュール３１Ａ，３１Ｂ，３１Ｃを備えているが、１個、２個又は４個以上の光源モジュールにより構成してもよい。
光源モジュール３１は、複数の離間する導電片３４により基板に相当する配線体３３を備えているが、配線体に換えて、絶縁材料により構成され且つ配線パターンを備える基板を備えてもよい。
実施形態では、光源ユニット３の調光点灯について説明していないが、調光機能を有してもよいし、有していなくてもよい。調光機能を設ける場合、調光回路を例えば電源ユニットに設けることで実施できる。
実施形態では、光源ユニット３の調色点灯について説明していないが、調色機能を有してもよいし、有していなくてもよい。調色機能を設ける場合、光色の異なるＬＥＤ素子を複数種類備えると共に調色回路を例えば電源ユニットに設けることで実施できる。
光源ユニット３は、ＬＥＤ素子３２を備えているが、他の発光素子を備えてもよい。
【００５３】
（３）電源ユニット
電源ユニット４は、電源回路４２を構成する複数個の電子部品（４６）を実装する電源基板４７を電源ケース４１内に収容していたが、例えば、電源基板をベース樹脂材に配置し、電源基板を電源カバーで覆うようにしてもよい。また、焼損対策として、電源回路４２と電源ケース４１の間に不燃紙を入れるようにしてもよい。
電源基板４７は、１枚又は複数枚であってもよい。例えば、調光回路を実装する基板と、調色回路を実装する基板とを電源基板と別に設けてもよい。電源ユニット４と光源ユニット３との電気接続は、例えば、電源基板からベース樹脂材２を挿通する金属体を光源ユニット３の配線体（又は基板）の金属体に接触させてもよいし、電源基板と配線体（又は基板）に設けられたコネクタをケーブルで接続してもよい。
【００５４】
（４）接続ユニット
接続ユニット５５は、プレート５８を介してベース板５６に複数個（２個）の器具本体側接続部５７を備えているが、例えば、器具本体側接続部５７を直接ベース樹脂材の閉塞部に設けてもよい。この際、プレートを利用してもよいし、利用しなくてもよい。
（４−１）ベース板
ベース板５６は、円板状をしているが、他の形状であってもよい。ベース板５６は、貫通孔５６１を中央に有しているが、中央以外の部位に有してもよい。ベース板５６は、貫通孔５６１を有しているが、貫通孔にかえて欠け部を有してもよいし、貫通孔と欠け部との両方を有してもよい。
ベース板５６は、器具本体側接続部５７を備えればよく、例えば、貫通孔が大きい環状（例えば円環状）であってもよいし、プレート装着部５６５を装着する部分だけ取り出したような円弧状であってもよい。この場合、器具本体側接続部の個数分必要となる。
【００５５】
（４−２）接続部
器具本体側接続部５７は、１つの接続部において、２本の導電ピン５７１を有していたが、１本又は３本以上の導電ピンを有してもよい。但し、アダプタ側接続部７３との電気接続の信頼性を高める発明においては、複数本の導電ピンを備える必要があり、例えば、アダプタ７への器具本体１の装着構造の発明においては、導電ピンを備えない他の電気接続であってもよい。
接続ユニット５５は、２個の器具本体側接続部５７を備えていたが、例えば、受電する電源が三相交流の場合、アース接続する場合、電源ユニットを備えない器具本体の場合であって発光色が異なる複数種類のＬＥＤ素子にアダプタから個別に電力を供給する場合等、３個以上の器具本体側接続部を有してもよい。
【００５６】
（４−３）プレート
プレート５８は、ベース板５６の裏側に配置されているが、ベース板５６の表側に配置されてもよい。プレート５８は、接続ユニット５５のベース樹脂材２への固定に合わせて、ベース樹脂材２の閉塞部２１４の筒領域２１４ｆとベース板５６とで挟持されているが、プレートをねじ等で固定されているベース板をベース樹脂材に固定するようにしてもよいし、プレートをベース樹脂材に固定してもよい。なお、プレートは、導電材料で構成して、当該プレートにケーブルを接続するようにしてもよい。
【００５７】
３．接続部
（１）器具本体側接続部５７の導電ピン５７１は、器具本体１をアダプタ７に装着する際の移動方向に沿って延伸するのが好ましい。また、アダプタ側接続部７３は、移動方向と直交する方向に沿って延伸するのが好ましい。実施形態では、器具本体１の環状凹入部２１をアダプタ７に嵌合させる際に、器具本体１をアダプタ７（設置面）に近づけており、この近づける方向が移動方向である。これにより、器具本体側接続部５７とアダプタ側接続部７３との電気接続の信頼性を高めることができる。
（２）器具本体側接続部５７は、器具本体１をアダプタ７に装着する際の移動方向に導電ピン５７６を付勢する付勢体５７２を備え、アダプタ側接続部７３は、移動方向と直交する方向に沿って延伸するのが好ましい。これにより、器具本体側接続部５７とアダプタ側接続部７３との電気接続の信頼性を高めることができる。
（３）１つの器具本体側接続部５７に複数の導電ピン５７６を備える場合、器具本体１をアダプタ７に装着する際の位置決め方向に沿って複数の導電ピン５７６を配し、アダプタ側接続部７３は位置決め方向に沿って延伸するのが好ましい。実施形態では、器具本体１の環状凹入部２１をアダプタ７に嵌合させた状態で、器具本体１を中心軸回りに回転させており、複数の導電ピン５７１は中心軸を中心とする円周上に設けられ、アダプタ側接続部７３は前記円周の半径に対応した円弧状をしている。これにより、アダプタ側接続部７３との電気接続の信頼性を高めることができる。
（４）実施形態では、器具本体１をアダプタ７に装着・位置決めする際に、アダプタ７に対して近づけた後に中心軸周りに回転させているが、他の動作で行うように構成してもよい。例としては、器具本体をアダプタに近づけた後に、移動方向と直交する方向にスライドさせて、器具本体をアダプタに対して装着と位置決めを行うような場合である。この場合、複数の導電ピン及びアダプタ側接続部は、スライド方向に沿って設けるのが好ましい。
（５）実施形態では、器具本体側接続部５７は付勢体５７２を有しているが、例えば、アダプタ側接続部に付勢体があってもよい。この場合、付勢方向は器具本体側となる。また、器具本体側接続部及びアダプタ側接続部の両方に付勢体を設けてもよい。
【００５８】
４．アダプタと器具本体
器具本体１の環状凹入部２１はアダプタ７の外周に嵌合する状態で、器具本体１がアダプタ７に装着されるが、例えば、アダプタを環状に構成し、器具本体の装着部がアダプタの内側に嵌合する状態で装着するようにしてもよい。
【符号の説明】
【００５９】
Ｘ    照明装置
１    器具本体
２    ベース樹脂材（ベース）
３    光源ユニット
４    電源ユニット
６    透光性カバー
７    アダプタ
５５    接続ユニット
５７    器具本体側接続部（接続部）
７０    ケース
７１    取付部材
７３    アダプタ側接続部（接続部）
５７１    導電ピン
５７２    付勢体
７１１    引掛刃部（取付部）
【図１】
0006870881.tif 000002
【図２】
0006870881.tif 000003
【図３】
0006870881.tif 000004
【図４】
0006870881.tif 000005
【図５】
0006870881.tif 000006
【図６】
0006870881.tif 000007
【図７】
0006870881.tif 000008
【図８】
0006870881.tif 000009
【図９】
0006870881.tif 000010
【図１０】
0006870881.tif 000011
【図１１】
0006870881.tif 000012
【図１２】
0006870881.tif 000013
【図１３】
0006870881.tif 000014
【図１４】
0006870881.tif 000015